(57)【要約】【課題】流体圧を円運動に変える【解決手段】仕切枠２の中に仕切回転弁を偏芯させて収納しロータ枠１２の中にロータを偏芯させて収納し仕切回転弁とロータは同方向に等角回転して接っしながら出来た形に仕切枠の両端の１方を吸入口とし他方を排出口とする上記の形を片流体モータと言いこの片流体モータのロータが吸入口を塞ぐ時他方の流体モータのロータが吸入口を塞がないようロータの方向角を変えて各各の片流体モータの各各のロータを回転軸で連結する。【選択図】図１
2008082321.tif 000002
【特許請求の範囲】
【請求項１】
断面略半円形の仕切枠（２）とロータ枠（１２）の間に仕切を設けないで結合させ、仕切枠（２）の両端の１方に吸入口（３８）を設け他方に排出口（５）を設け、仕切枠（２）の中に１方を円状として偏芯した仕切回転弁（７）を設け、仕切回転弁に直結した回転軸を仕切側枠外へ出してギヤを設け、ロータ枠（４３）の中に１方をロータ枠（４３）に内接し偏芯したロータを設け、ロータに直結した回転軸をロータ側枠外へ出して仕切回転弁に連結したギヤと同等のギヤを設けて間にギヤを１個介して噛み合わせ、仕切回転弁（７）とロータ（８）が同方向に等角回転して接っしながら出来た形を片流体モータといい、この片流体モータを２組以上各各のロータ枠とロータの摺接部を各各変えて各各のロータを回転軸で連結した事を特徴とした流体モータ。
【請求項２】
断面略半円形の仕切枠（１２５）とロータ枠（１２０）を仕切りを無くして結合させ、仕切枠（１２５）の両端の１方に吸入口（１２１）を設け、他方に排出口（１２９）を設け、仕切枠（１２５）の中に断面略  碁石状の形の仕切回転弁（１５２）を入れ、仕切回転弁（１５２）に直結した回転軸を仕切側枠外へ出してギヤを設け、ロータ枠（１２０）内に両端が弧状になった略だ円形のロータ（１５３）を設け、ロータに直結した回転軸をロータ側枠外へ出して仕切回転弁に連結したギヤと同等のギヤを設けて間にギヤを１個設けて噛み合わせ、仕切回転弁（１５２）とロータ（１５３）は同方向に等角回転して接っしながら出来た形を片流体モータと言い、この片流体モータを２組以上各各ロータの長手方向の方向角を変えて各各のロータを回転軸（１４４）で連結した事を特徴とした流体モータ。
【請求項３】
仕切回転弁の角（４），（４５），（１４），（２８），（１２２）（１２８）（１３１）及びロータの角（４４），（１０），（２３），（１７），（１４９），（１４５），（１４６），（１４７）を角端部の方を除いて円状の空間を設けて中に先端部の頭を出してバネ（４２），（３４），（１５４），（１５５）で押された微出入（３９），（３０），（１３４），（１３８）を収納した微回転（４０），（３１），（１３３），（１３９）を設けた事を特徴とした請求項１，２記載の流体モータ
【請求項４】
断面円形のロータ枠（６５）の中に１方をロータ枠（６５）内に周接させたロータ（６４）を収納し、ロータ枠（６５）の１方に仕切弁（６１）を設け仕切弁（６１）の両端の１方を吸入口（６０）とし他方を排出口（６２）とし、ロータ（６４）が回転すると仕切弁（６１）が上下運動する手段とした形を片流体モータと言い、この片流体モータを複数組み合わせ、ロータ枠とロータの接っし位置が１方のロータが吸入口をロータで塞いでいる時は他方の片流体モータのロータは吸入口を塞がない各各のロータの角度の開として各各のロータを回転軸（６６）で連結した事を特徴とした流体モータ。
【請求項５】
断面円形のロータ枠（８４）の対称方向に２つの仕切弁（８２），（１００）を設け各各の仕切弁（８２），（１００）の両端の１方を吸入口（８１），（８９）とし他方を排出口（８３），（１０１）とし、ロータ枠（８４）内に吸入口（８１）と排出口（８３）が同時に塞がる断面略だ円形をロータ（８５）を収納しロータ（８５）が回転すると仕切弁（８２），（１００）を上下運動し上記の形を片流体モータと言いこの片流体モータを複数組み合わせ、１方の片流体モータのロータが吸入口を塞いでいる時他方の片流体モータのロータが吸入口を塞がない各各の片流体モータのロータの長手方向の角度をもたせて各各の片流体モータのロータを回転軸（８８）で連結した事を特徴とした流体モータ。
【請求項６】
１方の片流体モータのロータが吸入口を塞ぐ時他方の片流体モータのロータが吸入口を塞がないようにし各各違種の片流体モータのロータを回転軸で連結した事を特徴とした請求項１，２，３，４，５記載の流体モータ。
【発明の詳細な説明】
【技術分野】
【０００１】片流体モータを複数組み合わせ、１方の片流体モータのロータの長手方向と他方の片流体モータのロータの長手方向を変えて各各のロータを回転軸で連結する。
【背景技術】
【０００２】片流体モータは、圧縮機として使用していたが流体モータとして使用していない。
【発明の開示】
【発明が解決しようとする課題】
【０００３】圧力のある流体を円運動に変え、片流体モータの運く所を全て円運動にする。
【課題を解決するための手段】
【０００４】断面略半円形の仕切枠と断面円形のロータ枠を仕切を設けないで結合させ、仕切枠の両端の１方を吸入口とし他方を排出口とし仕切枠の中に１方を仕切枠に周接させた偏芯形の仕切回転弁を設けて仕切回転弁に直結した回転軸を仕切側枠外へ出してギヤを設け、ロータ枠内に１方をロータ枠に周接させた偏芯形のロータを収納してロータに直結した回転軸をロータ側枠外へ出して仕切回転弁に連結したギヤを同等のギヤを設けて中間にギヤを１個介して噛み合わせる。仕切回転弁の長い方の弧とロータの短かい方の弧と回転しながら接っしさせ、ロータ後角と仕切前途中及び仕切前角とロータ後途中及びロータ前途中と仕切後角及びロータ前角と仕切後途中を同方向に等角回転して接っしさせながらの形とし、ロータの周接部を吸入口の外端から排出口の外端より極微長くしこれらを片流体モータと言いこの片流体モータを２組以上組み合わせ、１方の片流体モータのロータが吸入口を塞ぐ時他方の片流体モータのロータが吸入口を塞がないように各各の片流体モータのロータの方向角を変えて各各のロータを回転軸で連結する。【０００５】断面略半円形の仕切枠と断面円形のロータ枠を間仕切りを無くして結合し、仕切枠の両端の１方を吸入口とし他方を排出口とし、仕切枠の中に断面略碁石状の形の仕切回転弁を収納して仕切回転弁に直結する回転軸を仕切側枠外へ出してギヤを設け、ロータ枠内にロータの長手方向の端をロータ枠の円状にしただ円形のロータを収納しロータに直結した回転軸をロータ側枠外へ出して仕切回転弁と連結したギヤと同等のギヤを設けて中間にギヤを１個介して噛み合わせる。仕切途中１２４とロータ角１４５そして仕切角１２２とロータ途中１５１，１４３そして仕切途中１２３とロータ角１４６そして仕切途中１２７とロータ角１４７そして仕切角１２８とロータ途中１４８，１５０を同方向に等角回転し接っしさせながら出来た上記の形を片流体モータと言いこの片流体モータを複数組み合わせて吸入口から圧力のある流体を送っても１方の片流体モータが回転しない時は他方の片流体モータを回転させる事により各各の片流体モータのロータを回転軸により連結する。【０００６】仕切回転弁の角及びロータの角に角端部を除いて円状の空間を設け、角の先端部の頭を出し奥の方から板を当ててバネで押された微出入を収納した断面略円形の微回転を円状の空間に収納する。微回転の角部の方は表面に出す。微回転の奥の方の周囲に溝を設けて溝にバネを入れて微回転と仕切回転弁及びロータをいっしょにバネで押す。【０００７】断面略円形のロータ枠に１方に仕切弁を設け仕切弁の両端の１方を吸入口とし他方を排出口とし仕切弁はバネで押すか又はひっかけを設けてロータの側溝にひっかける。ロータ枠内に１方をロータ枠内に接っしたロータを収納し接っし長さは吸入口の外端から排出口の外端の長さより極微長くしロータに直結した回転軸をロータ側枠外へ出す、上記の形を片流体モータと言い、この片流体モータを１方の片流体モータのロータが吸入口を塞いでいる時他方の片流体モータのロータが吸入口を塞がないような角度の位置で各各の片流体モータのロータを回転軸で連結する。【０００８】断面円形のロータ枠の軸芯を狭んで対称的に２つの仕切弁を設け、１方の仕切弁の両端の１方に吸入口を設け他方に排出口を設け、ロータが回転する順に１方の仕切弁の近くの吸入口に接っし次は他方の仕切弁の上手に排出口を設け仕切弁の下手に吸入口を設け、各各の仕切弁はひっかけを設けてロータ側溝にひっかけるか又は外側からバネで押す、ロータ枠の中に先端部が円の弧状で略だ円形のロータを収納する。ロータの先端部は吸入口と排出口が同時に塞がる弧の長さとし、上記の形を片流体モータと言い、この片流体モータを複数組み合わせ、１方の片流体モータのロータが吸入口を塞いでも他方の片流体モータのロータが吸入口を塞がないよう各各の片流体モータのロータの長手方向の角度の開きをもたせて各各の片流体モータの各各のロータを回転軸で連結する。【０００９】違種の片流体モータを任意に組み合わせ、１方の片流体モータのロータが吸入口を塞いで回転しない時は他方の片流体モータのロータに流体圧がかかって回転するようにした角度で各各の片流体モータのロータを回転軸で連結する。
【発明の効果】
【００１０】吸入口より圧力のある流体を送っても１方の片流体モータが回転しない時は他方の片流体モータに回転力があるようにする事により互いに回転を補なう事により流体モータは回転する。
【発明が実施するための最良の形態】
【００１１】断面略半円形の仕切枠２と断面円形のロータ枠１２を仕切を設けないで結合させ仕切枠の両端の１方を吸入口３８とし他方を排出口４５とする。仕切枠２の中に１方を仕切枠２に接っしさせた偏芯させた仕切回転弁を収納させ、仕切回転弁の角部及びロータの角部に角を出した微出入を入れた微回転を入れる。微出入は奥の方からバネで押される。
の方に微回転の周囲に溝を設け仕切回転弁及びロータにバネを入れる空洞を設けて圧縮したバネ、１，３７，２９，３２を入れる。バネは微回転と仕切回転弁の両方をいっしょに押しそして微回転とロータをバネでいっしょに押す。バネを水又は油又は冷媒金属で冷やす。仕切回転弁に直結した回転軸を仕切側枠外へ出してギヤを設ける。ロータ枠１２内にも１方をロータ枠に接っしさせ偏芯させたロータを収納する。ロータに直結した回転軸をロータ側枠外へ出して仕切回転弁と連結したギヤと同等のギヤを設けて中間にギヤを１個介して噛み合わせる。
【００１２】仕切回転弁の長い方の弧とロータの短かい方の弧を同方向に等角回転して接っしさせ、仕切後角４５と接するロータ前途中９を極微外側に出し仕切前角４と回転しながら接っするロータ後途中３３を極微外側に出しロータ後角４４と回転しながら接する仕切前途中３を極微外側に出しロータ前角１０と接っする仕切後途中４１を極微外側に出す。ロータの長い方の弧と仕切回転弁の短かい方の弧を接っしさせ上記の形を片流体モータと言い１方の片流体モータのロータと他方の片流体モータのロータの方向角を１８０度変えて各各のロータを回転軸で連結する。
【実施例】
【００１３】断面略半円形の仕切枠２と断面円形のロータ枠１２を仕切を設けないで結合し、仕切枠２の両端の１方を吸入口３８とし他方を排出口５とする。仕切枠２内に１方を仕切枠に接っしさせて接っし部は吸入口側のロータ枠に逃げ道２５をプラスして排出口側のロータ枠に逃げ道１９をプラスした角度より極微大きくする角度とする。１方を仕切枠に接っしさせて偏芯させた仕切回転弁を収納し、ロータ枠１２に１方をロータ枠に接っしさせて偏芯させたロータを収納し、仕切回転弁とロータは同方向に等角回転させ、仕切回転弁の長い方の弧とロータの短かい方の弧を接っしさせ、仕切回転弁の短かい方の弧とロータの長い方の弧を接っしさせ、ロータ前途中９と仕切後角１４に極微の隙間を設け、仕切後途中４１とロータ前角１０及び仕切前途中３とロータ後角４４及びロータ後途中３３と仕切前角に極微の隙間を設ける。上記の形を片流体モータと言いこの片流体モータを複数組み合わせて１方の片流体モータのロータの方向と他方の片流体モータのロータの方向を約１８０度変えて各各のロータを回転軸で連結する。【００１４】断面略半円形の仕切枠１２５と断面円形のロータ枠１２０を仕切を設けないで結合させ仕切枠１２５の両端の１方に吸入口１２１を設け他方に排出口１２９を設け仕切枠１２５の中に断面略碁石状の仕切回転弁１５２を仕切枠に内接させて収納しロータ枠１２０内に両端をロータ枠の円状に合わせた略だ円形のロータ１５３を収納し仕切回転弁に直結した回転軸を仕切側枠外へ出してギヤを設けロータに直結した回転軸をロータ側枠外へ出して仕切回転弁に連結したギヤと同等のギヤを設けて中間にギヤを１個介して噛み合わせる。ロータ角１４５と仕切途中１２４及びロータ途中１５１，１４３と仕切角１２２及びロータ角１４６と仕切途中１２３及びロータ角１４７と仕切途中１２７及びロータ途中１４８，１５０と仕切角１２８が極微の隙間を設ける。上記の形を片流体モータと言い、この片流体モータを複数組み合わせ１方の片流体モータのロータの長手方向と他方の片流体モータのロータの長手方向を約９０度角変えて各各のロータを回転軸で連結する。【００１５】断面円形のロータ枠６５の１方に仕切弁６１を設け仕切弁６１にひっかけ７３を設けてロータ溝６３とひっかけるか又はバネにより押し仕切弁の両端の１方に吸入口６０そして他方に排出口６２を設けロータ枠６５の中に１方を吸入口と排出口が同時に塞がる接っし部の長さのロータを収納しロータ枠の下部に掃除口を設け上記の形を片流体モータと言い、この片流体モータを複数組み合わせ１方の片流体モータのロータと他方の片流体モータのロータを約１８０度角向きを変えて各各のロータを回転軸で連結する。【００１６】断面円形のロータ枠８４の１方とその反対側に仕切弁８２，１００を設け仕切弁８２の両端の１方に吸入口８１そして他方に排出口８３を設け他方の仕切弁にひっかけ８０，１０２を設けてロータ溝８６にひっかけるか又は仕切弁をバネで押す。他方の仕切弁１００の両端にも吸入口８９と排出口１０１を設ける。ロータ枠８４の中に両端部が吸入口と排出口を同時に塞ぐ弧の断面略だ円形のロータを収納する。上記の形を片流体モータと言いこの片流体モータを複数組み合わせ１方の片流体モータのロータの長手方向と他方の片流体モータのロータの長手方向を９０度角位い変えて各各のロータを回転軸で連結する。【００１７】請求項１，２，３，４，５記載の違種の片流体モータを任意に組み合わせ１方の片流体モータのロータが吸入口を塞ぐ時他方の片流体モータのロータが吸入口を塞がないような各各のロータの開きの角度を設けて各各のロータを回転軸で連結する。
【産業上の利用分野】
【００１８】火力発電所のコンバインドサイクル発電に利用する。
【図面の簡単な説明】
【００１９】
【図１】流体モータの図
【図２】流体モータの図
【図３】流体モータの図
【図４】流体モータの図
【符号の説明】
【００２０】バネ            １，３７，３２，２９，４２，１４０，１３６，１３５
１３２，３４，９０，９７
仕切枠          ２，３６，１２５，
仕切前途中      ３，２７
仕切前角        ４，２８
仕切後角        ４５，１４
排出口          ５，１５，１２９，１３７，６２，６７，８３，９２，１０１，９８
微回転          ６，４０，１３３，１３９，３１
仕切回転弁      ７，３６，１５２
ロータ          ８，２０，３５，１５３，１４１，６４，７４，８５，９４，
ロータ前途中    ９，２２
回転軸          １１，１４４，６６，８８
ロータ摺接部    １２
ロータ前角      １０，２３
ロータ後角      ４４，１７
吸入口          ２４，３８，１２１，１３０，６０，７２，８１，８９，９９，９６
微出入          ３０，３９
仕切後途中      ４１，１６
仕切角          １２２，１２８，１３１
仕切途中        １２３，１２４，１２６，１２７
ロータ角        １４５，１４６，１４７，１４９
ロータ途中      １４３，１５１，１４８，１５０
仕切弁          ６１，６８，８２，９１，９５，１００
溝              ６３，７０，８６
ロータ枠        ６５，６９，８４，９４
ひっかけ        ７１，７３，８０，１０２
掃除口          ７５，７６
【図１】
2008082321.tif 000003
【図２】
2008082321.tif 000004
【図３】
2008082321.tif 000005
【図４】
2008082321.tif 000006